(57)【特許請求の範囲】
【請求項１】
ボウルを備えた前パーツと後パーツとで便器を構成し、前記前パーツの上面の前記ボウルの上開口よりも後方位置に前記ボウルの前記上開口の後縁に沿う立上壁を一体に立ち上げ、前記後パーツに前記便器の後部に内装した便器付属装置の上側を覆う上カバーを備え、前記上カバーの前縁から垂下した前垂下片の下端部が前記立上壁の上端部の前側に重複すると共に、前記上カバーの側縁から垂下した側垂下片に、便蓋、便座の両方またはいずれか一方を回動自在に枢支する枢支部を備え、前記上カバーに、この上カバーが上昇した際に前記立上壁と接触する接触部を備えることを特徴とする便器装置。
【請求項２】
前記上カバーが上昇した際、前記立上壁の前記前垂下片と重複する部分の後面側の下部と前記接触部が接触することを特徴とする請求項１記載の便器装置。
【請求項３】
前記立上壁の前記前垂下片と重複する部分の後面側の下部に、前記接触部と接触する横リブを備えることを特徴とする請求項１又は請求項２記載の便器装置。
【請求項４】
前記上カバーが０．５〜３ｍｍ上昇した時に、前記接触部と前記立上壁とが接触することを特徴とする請求項１乃至請求項３のいずれか一項に記載の便器装置。
【発明の詳細な説明】
【技術分野】
【０００１】
本発明は、ボウルを備えた前パーツと後パーツとで構成された便器装置に関するものである。
【背景技術】
【０００２】
従来から、ボウルを備えた前パーツと後パーツとで構成された便器装置が特許文献１等により知られている。
【０００３】
前パーツの上面には、ボウルの上開口よりも後方位置に上開口の後縁に沿うように立上壁を一体に立ち上げている。また、後パーツには、便器の後部に内装した便器付属装置の上側を覆う上カバーを備えている。この上カバーには、前縁から前パーツの立上壁の上端部の前側に重複する前垂下片を垂下すると共に、側縁から便蓋と便座を回動自在に枢支する枢支部を備えた側垂下片を垂下している。
【０００４】
前パーツは床に固着されるフレームの前部に固着具で固着し、後パーツの一構成要素である便器付属装置を設ける装置支持ケースをフレームの後部に固着具で固着し、後パーツの別の一構成要素である上カバーを装置支持ケースに固着具で固着している。
【０００５】
このように、前パーツ、後パーツは固着具で固着してないが、前垂下片を前パーツの立上壁の上端部の前側に重複することで、前垂下片と前パーツの立上壁との境から水が内部に浸入しないようにしてある。
【先行技術文献】
【特許文献】
【０００６】
【特許文献１】特開２００８−９５４５１号公報
【発明の概要】
【発明が解決しようとする課題】
【０００７】
しかし、従来技術は、便蓋、便座を倒した状態から起立させるために、強い力を加えて回動して後ろに押したり、あるいは、起立させた状態で後ろに押すと、前パーツを上方に持ち上げようとする力が作用して、前垂下片が上昇し、立上壁から外れるおそれがある。
【０００９】
本発明は、上記の従来例の問題点に鑑みて発明したもので、その目的は、便蓋や便座を回動しても前垂下片が外れ難い便器装置を提供することにある。
【課題を解決するための手段】
【００１０】
本発明の便器装置は、ボウルを備えた前パーツと後パーツとで便器を構成し、前記前パーツの上面の前記ボウルの上開口よりも後方位置に前記ボウルの前記上開口の後縁に沿う立上壁を一体に立ち上げ、前記後パーツに前記便器の後部に内装した便器付属装置の上側を覆う上カバーを備え、前記上カバーの前縁から垂下した前垂下片の下端部が前記立上壁の上端部の前側に重複すると共に、前記上カバーの側縁から垂下した側垂下片に、便蓋、便座の両方またはいずれか一方を回動自在に枢支する枢支部を備え、前記上カバーに、この上カバーが上昇した際に前記立上壁と接触する接触部を備えることを特徴とする。
【００１１】
ここで、前記上カバーが上昇した際、前記立上壁の前記前垂下片と重複する部分の後面側の下部と前記接触部が接触することが好ましい。
【００１２】
また、前記立上壁の前記前垂下片と重複する部分の後面側の下部に、前記接触部と接触する横リブを備えることが好ましい。
【００１３】
また、前記上カバーが０．５〜３ｍｍ上昇した時に、前記接触部と前記立上壁とが接触することが好ましい。
【発明の効果】
【００１４】
本発明は、上カバーに、この上カバーが上昇した際に前記立上壁と接触する接触部を備えているので、強い力で便蓋や便座を回動して後ろに押した場合に前垂下片が外れ難い。
【図面の簡単な説明】
【００１５】
【図１】本発明の要部断面図である。
【図２】同上の接触板が横リブの下方に位置している状態を示す下方から見た斜視図である。
【図３】同上の上カバーの取付け順序を示す説明図である。
【図４】同上の上カバーを装置支持ケースにねじ具で固定している部分を示す斜視図である。
【図５】本発明の全体の分解斜視図である。
【図６】同上の斜視図である。
【図７】同上の側面図である。
【発明を実施するための形態】
【００１６】
以下、本発明を添付図面に示す実施形態に基づいて説明する。
【００１７】
なお、以下の説明で「後」、「前」とは、便器４の便座に人が通常の使用状態で座った際に背面となる側を「後」、正面となる側を「前」と定義して説明する。
【００１８】
便器４は図５乃至図７に示すようなもので、ボウル１を備えた前パーツ２と後パーツ３と支持フレーム１３で構成し、前パーツ２及び後パーツ３は支持フレーム１３にそれぞれ独立して取付ける。
【００１９】
前パーツ２は、ボウル部１ａとボウル部１ａの上方に設けられるリム部１４と、ボウル部１ａとリム部１４で構成されるボウル１の外側を覆うスカート部１５とを備えており、これら合成樹脂製のボウル部１ａ、リム部１４、スカート部１５を溶着一体化することで前パーツ２を構成している。
【００２０】
ボウル１の上面であるリム部１４の上面の上開口５よりも後方位置に、上開口５の後縁に沿う立上壁６を一体に立ち上げている。立上壁６の上端部は前面側を凹ませて重複用凹み部１６となっており、重複用凹み部１６の後ろ側の壁部が重複片１７となっている。立上壁６の後面の重複片１７の下方側に被接触部を設けており、図１の実施形態では重複片１７の後面側の下方部位から横リブ１２を後方に突出して被接触部を構成している。
【００２１】
前パーツ２は、床に設置して取付けられる支持フレーム１３の前部にボルトなどの固着具により取付ける。
【００２２】
後パーツ３は、図５に示すように、便器付属装置７を設けた装置支持ケース１８と、装置支持ケース１８、便器付属装置７の上方を覆う上カバー８と、上カバー８の後部の下方に配置される後カバー１９と、後カバー１９の上部両側の前方に配置される上側カバー２０と、後カバー１９の下部両側部の前方に配置される下側カバー２１とを備えている。装置支持ケース１８、上カバー８、後カバー１９、上側カバー２０、下側カバー２１は合成樹脂製である。
【００２３】
上カバー８は、前縁から垂下した前垂下片９と、両側縁から垂下した側垂下片１０と、後縁から垂下した後垂下片２２とを備えている。
【００２４】
図１に示すように、上カバー８下面の前垂下片９よりやや後方位置に固定部２３となるボスが下方に向けて突出しており、固定部２３の下端が前垂下片９より下方に位置している。
【００２５】
固定部２３の下端面部に接触部１１を構成する接触板１１ａをねじ具２４により取付けている。上カバー８下面の固定部２３を設けた部位の後方に突片２５が垂下してあり、図１、図２に示すように接触板１１ａの後端が突片２５の前面に当接することで、ねじ具２４を中心に接触板１１ａが回転しないようになっている。このようにして、上カバー８の前端部の左右方向の複数個所に接触部１１を構成する接触板１１ａを取付ける。
【００２６】
また、図１、図２に示すように、上カバー８の下面の前端部には、更に前垂下片９との間に隙間３２を隔ててずれ防止用垂下片３３が垂下してあり、このずれ防止用垂下片３３の下端は前垂下片９より上に位置し、隙間３２の前後方向の寸法は重複片１７の肉厚よりも長い。
【００２７】
側垂下片１０には便蓋２６、便座２７をそれぞれ回動自在に枢支するための枢支部２８を設けている。
【００２８】
なお、便蓋２６、便座２７を枢支する枢支部２８としては、上カバー８の下面部に回転装置を設けて、この回転装置の駆動力で便蓋２６、便座２７を回動するようにしてもよく、あるいは、手動で回動して開閉するものでもよい。
【００２９】
また、側垂下片１０に便蓋２６のみ、あるいは、便座２７のみを枢支する枢支部２８を備えてもよい。
【００３０】
装置支持ケース１８に設けられる便器付属装置７としては、温水洗浄装置、温風乾燥装置、脱臭装置等の便器４に付属する種々の装置、これらの装置を制御する制御部を挙げることができる。
【００３１】
装置支持ケース１８は支持フレーム１３の上部にボルトなどの固着具で取付けられる。
【００３２】
上カバー８は装置支持ケース１８及び便器付属装置７を覆うように装置支持ケース１８の上方に配置し、ねじ具３０を用いて図４のように装置支持ケース１８に取付けるか、又は、支持フレーム１３に取付ける。
【００３３】
上カバー８の取付けに当たっては、まず、図３の実線のように、上カバー８を斜め前下がりの姿勢にして、接触板１１ａの先端を横リブ１２の先端に位置させる。この状態で、接触板１１ａの先端を回転中心にして図３の矢印の方向に上カバー８を回動し、前垂下片９の下端部を前記立上壁６の上端部の重複用凹み部１６に位置させて、重複片１７の前面に重複させる。その後、ねじ具３０で装置支持ケース１８に取付けるか、又は、支持フレーム１３に取付ける。この上カバー８の取付け状態で、接触部１１を構成する接触板１１ａの前端部が、被接触部である横リブ１２の下方に隙間３１を介して位置する。この隙間３１の上下寸法は、前垂下片９と重複片１７との上下方向の重複長さより短い寸法で、０．５〜３ｍｍ程度に設定するのが好ましい。
【００３４】
また、前垂下片９の下端部を重複片１７の前面に重ねた状態で、ずれ防止用垂下片３３の下端部が重複片１７の後面の上端部の後方に僅かな隙間を介して対向している。
【００３５】
これにより上カバー８を後方に動かそうとする外力が作用した場合、前垂下片９の下端部が重複片１７の前面に重複することで、後方への移動を防止し、上カバー８に前方に動かそうとする外力が作用した場合、ずれ防止用垂下片３３が重複片１７の後面の上端部に当たって前方への移動を防止する。
【００３６】
なお、後パーツ３の構成部材のうち後カバー１９、上側カバー２０、下側カバー２１は装置支持ケース１８に取付けるか、又は、支持フレーム１３に取付ける。
【００３７】
上記のような構成の便器装置は、使用しない時は、便座２７を倒し、便座２７をリム部１４の上面に載置し、更に、便蓋２６を倒して、ボウル１の上開口５と便座２７を覆う。
【００３８】
使用に当たっては、便蓋２６のみを回動して起立させたり、あるいは、便蓋２６、便座２７を回動して起立させる。
【００３９】
ここで、便蓋２６、便座２７を起立方向に回動したり、あるいは、起立した状態の便蓋２６や便座２７を図７の矢印のように後方に押すと、便蓋２６、便座２７を枢支している上カバー８の前端部が上方に浮き上がるような力が作用する。
【００４０】
このような便蓋２６、便座２７に後方に押す力が作用して上カバー８の前端部が浮き上がって上方に移動した場合、その浮き上がり量が、横リブ１２と下方の接触板１１ａとの間の隙間３１よりも小さい時は、接触板１１ａの前端部は横リブ１２に接触せず、また、前垂下片９が重複片１７から外れることはない。更に、上カバー８に浮き上がらせようとする大きな力が作用して、上カバー８が隙間３１寸法以上上方に移動しようとしても、接触板１１ａの前端部が横リブ１２に接触し、それ以上の上カバー８の上方への移動を防止し、前垂下片９が重複片１７から外れ難いようになっている。
【００４１】
また、上記のように隙間３１があるので、隙間３１の上下寸法内で上カバー８が浮き上がっても擦れ音が発生しない。また、隙間３１寸法を越えて浮き上がろうとする場合、接触板１１ａの前端部が横リブ１２の下面に接触するだけなので、擦れ音は抑制される。
【００４２】
ところで、上カバー８の取付け状態で、接触板１１ａの前端部と横リブ１２との間に隙間３１が存在するように構成しているので、上カバー８の取付けに当たり、図３に示すような取付けができて取付け作業が簡単にできる。つまり、図３の実線のように、上カバー８を斜め前下がりの姿勢にして、接触板１１ａの先端を横リブ１２の下側に位置させる際、上カバー８を斜めにして簡単に接触板１１ａの先端を横リブ１２の下側に位置させて、ここを支点にして回動させることができる。この場合、更に、ずれ防止用垂下片３３の下端が前垂下片９より上に位置し、隙間３２の前後方向の寸法は重複片１７の肉厚よりも長いので、上カバー８を図３のようにして取付ける際にずれ防止用垂下片３３が邪魔にならない。
【符号の説明】
【００４３】
１  ボウル
２  前パーツ
３  後パーツ
４  便器
５  上開口
６  立上壁
７  便器付属装置
８  上カバー
９  前垂下片
１０  側垂下片
１１  接触部
【図１】
0005607970.tif 000002
【図２】
0005607970.tif 000003
【図３】
0005607970.tif 000004
【図４】
0005607970.tif 000005
【図５】
0005607970.tif 000006
【図６】
0005607970.tif 000007
【図７】
0005607970.tif 000008